(57)【要約】【課題】  上下二段に積層されたドロワを、ロック機構を上下二段に設けることなく安価な構成でドロワキャビネットに対してロック状態にすることができるドロワ装置を提供する。【解決手段】  下方に向けて突出させて上層に位置するドロワ５の底部に設けられ、下層のドロワ４と上層のドロワ５とが共にドロワキャビネット３の収納位置に位置する状態で上層のドロワ５が引き出される場合に下層のドロワ４に干渉するストッパ片２０を備え、ロック機構をアンロック状態にして下層に位置するドロワ４を開放した場合にのみ、上層に位置するドロワ５を開放可能とした。これにより、上下二段に積層されたドロワ４，５を、ロック機構を上下二段に設けることなく安価な構成でドロワキャビネット３に対してロック状態にすることができる。【選択図】    図５
2005056349.tif 000002
【特許請求の範囲】
【請求項１】
前面開口の箱形状のドロワキャビネットと、
上下方向に積層された複数のドロワと、
前記ドロワキャビネットに設けられ、下層に位置する前記ドロワを当該ドロワキャビネットに対してロック状態にするロック機構と、
下方に向けて突出させて上層に位置する前記ドロワの底部に設けられ、下層の前記ドロワと上層の前記ドロワとが共に収納位置に位置する状態で上層の前記ドロワが引き出される場合に下層の前記ドロワに干渉するストッパ片と、
を備えるドロワ装置。
【請求項２】
前記ストッパ片は、前記ドロワの幅方向と略同一の間隔を隔てて対を成して設けられている、
請求項１記載のドロワ装置。
【発明の詳細な説明】
【技術分野】
【０００１】
本発明は、ＰＯＳ（Point of Sales）端末などの商品販売データ処理装置による商品売上処理に関連して金銭の出し入れをするためのドロワ装置に関する。
【背景技術】
【０００２】
一般に、ＰＯＳ端末等に用いられるドロワ装置のドロワ（引出し）の内部には、硬貨を収納するための硬貨収納部や、紙幣を収納するための紙幣収納部が設けられている。このようなドロワは、通常はロック機構によりロックされてドロワ装置のドロワ筐体内に収納されているものであるが、商品売上処理を終了した場合に操作される締めキー等からの信号によりロック機構のロックが解除され、これによりドロワ装置に内蔵されたバネ等からの力を受けてドロワが開放される。
【０００３】
また、紙幣及び硬貨の各収納スペースを拡大すべく、ドロワを上下二段に積層させた構成のドロワ装置も提案されている（例えば、特許文献１参照）。
【０００４】
さらに、近年においては、図８に示すように、ドロワ１０１ａ，１０１ｂを上下二段に積層させた構成のドロワ装置１０１を硬貨入出金装置１０２と並べて配置することにより、上部にＰＯＳ端末（図示せず）を載置可能としたものが提案されている。このようなドロワ装置１０１は、紙幣等を収納する下段ドロワ１０１ａと商品券等を収納する上段ドロワ１０１ｂとを備えており、上段ドロワ１０１ｂには当該上段ドロワ１０１ｂを引き出さなくとも商品券等の収納が可能なようにスリット状のメディアスロットＳが設けられている。
【０００５】
【特許文献１】特開平０６−３４８９５６号公報
【発明の開示】
【発明が解決しようとする課題】
【０００６】
ところで、図８に示すようなドロワ装置１０１によれば、商品売上処理を終了した場合に開放するドロワは紙幣等を収納する下段ドロワ１０１ａのみで事足りることから、紙幣等を収納する下段ドロワ１０１ａのみにロック機構（図示せず）を設けていることが多い。これは、商品券を受け取った場合には、上段ドロワ１０１ｂを開放することなくメディアスロットＳから商品券を収納することができるからである。つまり、ＰＯＳ端末の締めキーが操作されると下段ドロワ１０１ａのみが開放されることになる。
【０００７】
しかしながら、商品券も紙幣と同等の価値を有する金券である以上、盗難防止等の防犯対策は必要であり、上段ドロワ１０１ｂにも下段ドロワ１０１ａのロック機構と同等のロック機構を設けることが考えられる。
【０００８】
ところが、このようにロック機構を上下二段に設けるのはコスト高になるという問題がある。
【０００９】
本発明は、上下二段に積層されたドロワを、ロック機構を上下二段に設けることなく安価な構成でドロワキャビネットに対してロック状態にすることを目的とする。
【課題を解決するための手段】
【００１０】
本発明のドロワ装置は、前面開口の箱形状のドロワキャビネットと、上下方向に積層された複数のドロワと、前記ドロワキャビネットに設けられ、下層に位置する前記ドロワを当該ドロワキャビネットに対してロック状態にするロック機構と、下方に向けて突出させて上層に位置する前記ドロワの底部に設けられ、下層の前記ドロワと上層の前記ドロワとが共に収納位置に位置する状態で上層の前記ドロワが引き出される場合に下層の前記ドロワに干渉するストッパ片と、を備える。
【００１１】
したがって、上層に位置するドロワの底部に下層のドロワに干渉するストッパ片を設けるという簡単な構成で、下層のドロワのロック機構のロックを解除してドロワを開放しない限り上層に位置するドロワを開放できない構成とした。
【発明の効果】
【００１２】
本発明によれば、上下二段に積層されたドロワを、ロック機構を上下二段に設けることなく安価な構成でドロワキャビネットに対してロック状態にすることができる。
【発明を実施するための最良の形態】
【００１３】
本発明の実施の一形態を図１ないし図７に基づいて説明する。本実施の形態のドロワ装置は、ＰＯＳ端末に接続して使用されるものであって、硬貨入出金装置とともに用いられるドロワ装置に適用されている。
【００１４】
ここで、図１はドロワ装置１を硬貨入出金装置２とともに示す外観斜視図である。本実施の形態のドロワ装置１は、硬貨入出金装置２と並べて配置することにより、上部にＰＯＳ端末（図示せず）を載置可能としたものである。硬貨入出金装置２は、ＰＯＳ端末のＣＰＵ（Central Processing Unit）等のデータ制御手段に接続され、このデータ制御手段の所定の出力データ（釣り銭データ）に従って釣り銭分の硬貨を払い出すようになっている周知の装置と何ら変わるものではないので、ここでの説明は省略する。
【００１５】
次に、ドロワ装置１について説明する。ドロワ装置１の筐体であって前面開口の箱形状のドロワキャビネット３には、紙幣を収納するためのマネーケース４ｃ（図２参照）を収納・取り出し自在に備えるドロワ４と、商品券等を収納するためのドロワ５とが備えられている。このドロワキャビネット３は、硬貨入出金装置２の前面の延長線上に収納状態のドロワ４及びドロワ５の前面が位置するように構成されている。図１に示すように、これらのドロワ４及びドロワ５は、上下二段に積層されて備えられており、省スペース化が図られている。また、ドロワ５には、ドロワ５を引き出さなくとも商品券等の収納が可能なように、スリット状のメディアスロット６が設けられている。さらに、ドロワ４には、ドロワ４をドロワキャビネット３に対してロック／アンロック状態にするキーシリンダ７が設けられている。このキーシリンダ７は、キー（図示せず）を持つ者のみがドロワ４をドロワキャビネット３に対してロック／アンロック状態にすることができる。すなわち、キーシリンダ７は、ドロワ４をドロワキャビネット３に対してロック／アンロック状態にするものであって、特定の操作者による操作のみを受け付けるロック手段として機能する。なお、ロック手段としては、このようなキーシリンダ７に限るものではなく、指紋等の各種認証装置を備えるものであっても良い。
【００１６】
なお、周知の構造であるため特に図示しないが、ドロワキャビネット３の内側面にはガイドレールが形成されており、ドロワ４及びドロワ５の外側面にはガイドローラが形成されている。これらのガイドレールとガイドローラとの作用により、ドロワ４及びドロワ５は、ドロワキャビネット３に対して引き出し及び収納が自在とされている。
【００１７】
このようなドロワ装置１においては、従来のドロワ装置と同様に、ＰＯＳ端末におけるキー操作等に基づき商品売上処理に連動する形でドロワ４が引出開放（ロック機構８（図２参照）のロック状態の解除）される構成になっている。
【００１８】
ここで、ドロワ４をドロワキャビネット３の内部に閉止状態にロックするロック機構８について図２を用いて説明する。ロック機構８は、ドロワ４を前方に付勢するコイルスプリング９とともにドロワキャビネット３の底板３ａ上に設けられているフック形状のロックアーム８ａとドロワ４の収納方向奥側に設けられた引掛け部８ｂとを主体に構成されており、ロックアーム８ａを引掛け部８ｂに引掛けた状態でロック状態となるものである。
【００１９】
このロック機構８には、ロック機構８のロックを解除する自動ロック解除手段１１が連結されている。より詳細には、ロック機構８を構成するロックアーム８ａにはソレノイド１０が接続されており、ＰＯＳ端末のキー操作等に基づく出力データによりソレノイド１０を動作させることでロックアーム８ａをロック解除方向へと移動させてロック機構８のロック状態を解除することが可能になっている。
【００２０】
また、ドロワ装置１においては、上述したような自動ロック解除手段に加えて、キーシリンダ７の鍵穴にドロワ鍵（図示せず）を差し込んで回すことによりロック機構８のロックを解除する手動ロック解除手段が設けられている。この手動ロック解除手段については、従来のドロワ装置の手動ロック解除手段と何ら変わるものではないので、説明は省略する。
【００２１】
ここで、ドロワ５について説明する。図３は上層のドロワ５を上方から見た状態を示す斜視図、図４は上層のドロワ５を下方から見た状態を示す斜視図である。図３に示すように、ドロワ５においては、その内部が細かく区切られることにより各種収納部５ａ〜５ｃが形成されている。メディアスロット６に連通する第１収納部５ａはメディアスロット６を介して挿入された商品券等を収納するものであり、第１収納部５ａに隣接する第２収納部５ｂは棒銀等を収納するものであり、第１収納部５ａ及び第２収納部５ｂの奥側に位置する第３収納部５ｃは硬貨入出金装置２が故障等により使用できない場合に使用する硬貨を収納しておくものである。５ｄは、ドロワ５を引き出す際に把持する取っ手である。
【００２２】
また、図４に示すように、ドロワ５の底部には一対のストッパ片２０が下方に向けて突出形成されている。これらのストッパ片２０は、下層のドロワ４と上層のドロワ５とが共にドロワキャビネット３の収納位置に位置する状態（図５参照）で上層のドロワ５が引き出される場合に下層のドロワ４に干渉するように設けられている。なお、一対のストッパ片２０は、ドロワ４のマネーケース４ｃの幅方向と略同一の間隔を隔てて設けられている。
【００２３】
このような構成において、下層のドロワ４及び上層のドロワ５がドロワキャビネット３に収納されていてロック機構８がロック状態にある場合に、操作者が取っ手５ｄを把持して上層のドロワ５を引き出そうとしても、ドロワ５の底部のストッパ片２０が下層のドロワ４に当接するので、上層のドロワ５を引き出すことはできない。操作者が上層のドロワ５を引き出すためには、ＰＯＳ端末のキー操作によりロック機構８のロック状態を解除し、あるいはキーシリンダ７の鍵穴にドロワ鍵を差し込んで回すことによりロック機構８のロックを解除して、下層のドロワ４をドロワキャビネット３から開放した場合に限られる。図６に示すように、ロック機構８のロックを解除して下層のドロワ４をドロワキャビネット３から開放した状態では、下層のドロワ４に当接するまでは上層のドロワ５の底部のストッパ片２０に干渉する部材が存在しない。したがって、図７に示すように、操作者が取っ手５ｄを把持して引っ張ることにより上層のドロワ５をドロワキャビネット３から引き出すことが可能になる。
【００２４】
また、上層のドロワ５をドロワキャビネット３から引き出す場合としては、硬貨入出金装置２が故障等により使用できない場合にドロワ５の硬貨を取り出すような場合が想定されるが、このような場合には下層のドロワ４のマネーケース４ｃに収納されている紙幣が引き出された上層のドロワ５によって隠されることから、客からの視線を遮ることができるので、防犯上も有効である。
【００２５】
このように本実施の形態においては、上層に位置するドロワ５の底部に下層のドロワ４に干渉するストッパ片２０を設けるという簡単な構成で、下層のドロワ４のロック機構８のロックを解除してドロワ４を開放しない限り上層に位置するドロワ５を開放できない構成とした。これにより、上下二段に積層されたドロワ４，５を、ロック機構８を上下二段に設けることなく安価な構成でドロワキャビネット３に対してロック状態にすることができる。
【図面の簡単な説明】
【００２６】
【図１】本発明の実施の一形態のドロワ装置を硬貨入出金装置とともに示す外観斜視図である。
【図２】ドロワ装置の内部構造を概略的に示す斜視図である。
【図３】上層のドロワを上方から見た状態を示す斜視図である。
【図４】上層のドロワを下方から見た状態を示す斜視図である。
【図５】下層のドロワ及び上層のドロワがドロワキャビネットに収納されている状態を示す縦断側面図である。
【図６】下層のドロワがドロワキャビネットから引出開放された状態を示す縦断側面図である。
【図７】上層のドロワがドロワキャビネットから引出開放された状態を示す縦断側面図である。
【図８】従来のドロワ装置を硬貨入出金装置とともに示す外観斜視図である。
【符号の説明】
【００２７】
１…ドロワ装置、３…ドロワキャビネット、４…下層のドロワ、５…上層のドロワ、６…メディアスロット、８…ロック機構、２０…ストッパ片
【図１】
2005056349.tif 000003
【図２】
2005056349.tif 000004
【図３】
2005056349.tif 000005
【図４】
2005056349.tif 000006
【図５】
2005056349.tif 000007
【図６】
2005056349.tif 000008
【図７】
2005056349.tif 000009
【図８】
2005056349.tif 000010